(57)【要約】【課題】  コピー制御情報（制約条件なしにコピー可、１世代のみコピー可、コピー禁止）を利用し、このコピー制御情報も考慮した番組自動録画装置を得る。【解決手段】  コピー制御情報「１世代のみコピー可」（Copy Once）の番組を記録媒体に自動録画する。またはコピー制御情報「１世代のみコピー可」（Copy Once）の番組を、より価値の高い番組であると評価して自動録画の対象とし易くし、ユーザの嗜好により近い番組を自動録画する。【選択図】      図４
2008301242.tif 000002
【特許請求の範囲】
【請求項１】
各番組関する、制約条件なしにコピー可／１世代のみコピー可／コピー禁止のいずれかを示すコピー制御情報を取得する取得手段と、
前記取得手段によりコピー制御情報が１世代のみコピー可を示す番組を記録媒体に記録させる記録制御手段とを備えたことを特徴とする番組自動録画装置。
【請求項２】
各番組関する、制約条件なしにコピー可／１世代のみコピー可／コピー禁止のいずれかを示すコピー制御情報を取得する取得手段と、
ユーザの嗜好情報を記憶する嗜好情報蓄積手段と、
前記嗜好情報蓄積手段に記憶されている嗜好情報に基づいて各番組を評価し、ユーザの嗜好に合う番組を抽出する番組抽出手段と、
前記番組抽出手段により抽出された番組を記録媒体に記録させる記録制御手段とを備え、
前記番組抽出手段は、前記取得手段によりコピー制御情報が１世代のみコピー可を示す番組の評価を、他のコピー制御情報を有する番組よりも評価を高く評価することを特徴とする番組自動録画装置。
【請求項３】
更に、チャンネル毎にコピー制御情報が１世代のみコピー可を示す番組の比率を算出する算出手段を有し、
前記番組抽出手段は、前記算出手段が所定の比率よりも小さいときにのみ、前記取得手段によりコピー制御情報が１世代のみコピー可を示す番組の評価を、他のコピー制御情報を有する番組よりも評価を高く評価することを特徴とする請求項２記載の番組自動録画装置。
【請求項４】
番組抽出手段は、前記嗜好情報蓄積手段に記憶されている嗜好情報であるキーワードと、各番組に付与されているテキストデータに基づいて各番組を評価することを特徴とする請求項２または請求項３記載の番組自動録画装置。
【請求項５】
前記番組を記録する記録媒体を備えたことを特徴とする請求項１乃至４のいずれか１項記載の番組自動録画装置。
【発明の詳細な説明】
【技術分野】
【０００１】
この発明は、録画装置に関し、特に自動的に番組を録画する番組自動録画装置に関する。
【背景技術】
【０００２】
従来、自動録画する装置として、番組情報提供サーバが過去の番組視聴率情報に基づき放送予定の番組をランク付けしたものをダウンロードし、最高ランクの番組を自動録画するものが知られている（例えば、特許文献１参照）。この自動録画装置は過去の視聴率から予測して好ましいと思われるものを自動録画する。番組情報提供サーバは、番組視聴率情報に基づいて放送予定の番組をランク付けする。端末装置は、番組ランク予測情報及び電子番組表をダウンロードする。番組ランク予測情報を参照して最高ランクの番組を自動録画する。
【特許文献１】特開２００５−１８４２８９号公報
【発明の開示】
【発明が解決しようとする課題】
【０００３】
番組の客観的な価値を評価する手段として、コピー制御情報（制約条件なしにコピー可、１世代のみコピー可、コピー禁止）を利用し、このコピー制御情報も考慮するという考えがある。通常、「制約条件なしにコピー可」の番組より「１世代のみコピー可」というようにコピーに関し制限のある方の番組の方がより制限が強く掛けられているので、より価値の高い番組であると推定することができる。
【０００４】
しかし、従来の番組自動録画装置においては、コピー制御情報（制約条件なしにコピー可、１世代のみコピー可、コピー禁止）が考慮されていないため、コピー制御情報が考慮された録画を行いたいという要望に答えることが出来ないという問題があった。
【０００５】
この発明は、番組の客観的な価値を評価する手段として、コピー制御情報（制約条件なしにコピー可、１世代のみコピー可、コピー禁止）を利用し、このコピー制御情報も考慮した番組自動録画装置を提供することを目的とする。
【０００６】
更には、「１世代のみコピー可」の番組ばかり放送されているチャンネルであれば、「１世代のみコピー可」の番組の価値はそれほど高くないが、「制約条件なしにコピー可」の番組が多く放送されているチャンネルであれば、「１世代のみコピー可」の番組の価値は非常に高いものである。このように同一チャンネルで放送されている「１世代のみコピー可」と「制約条件なしにコピー可」の割合等を考慮することにより、あるチャンネル中でより価値の高いと考えられる番組を自動録画する番組自動録画装置を提供することを目的とする。
【課題を解決するための手段】
【０００７】
上記の目的を達成するために、この発明においては、各番組関する、制約条件なしにコピー可／１世代のみコピー可／コピー禁止のいずれかを示すコピー制御情報を取得する取得手段と、前記取得手段によりコピー制御情報が１世代のみコピー可を示す番組を記録媒体に記録させる記録制御手段とを備えたことを特徴とする番組自動録画装置を提供する。
【０００８】
また、上記の目的を達成するために、この発明においては、各番組関する、制約条件なしにコピー可／１世代のみコピー可／コピー禁止のいずれかを示すコピー制御情報を取得する取得手段と、ユーザの嗜好情報を記憶する嗜好情報蓄積手段と、前記嗜好情報蓄積手段に記憶されている嗜好情報に基づいて各番組を評価し、ユーザの嗜好に合う番組を抽出する番組抽出手段と、前記番組抽出手段により抽出された番組を記録媒体に記録させる記録制御手段とを備え、前記番組抽出手段は、前記取得手段によりコピー制御情報が１世代のみコピー可を示す番組の評価を、他のコピー制御情報を有する番組よりも評価を高く評価することを特徴とする番組自動録画装置を提供する。
【０００９】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１０】
この発明によれば、コピー制御情報（制約条件なしにコピー可、１世代のみコピー可、コピー禁止）を利用し、このコピー制御情報も考慮した番組自動録画装置を提供することができる。
【発明を実施するための最良の形態】
【００１１】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１３】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１５】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１６】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１７】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１９】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２２】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２３】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２４】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２５】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２６】
チューナ２４５ａは、制御部２６１からの制御信号により所望のチャンネルの放送信号を選局し、この選局された放送信号をＰＳＫ（Phase Shift Keying）復調器２４５ｂに出力する。
【００２７】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２８】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２９】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３０】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３１】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３２】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３３】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３４】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３５】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３６】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３７】
また、字幕放送による字幕を表示するとき、グラフィック処理部２５４は、制御部２６１からの制御による字幕情報に基づき、映像信号上に字幕情報を重畳する処理を行う。
【００３８】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３９】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４０】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４１】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４２】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４３】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４４】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４５】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４６】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４７】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４８】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４９】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００５０】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５１】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５２】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５３】
図３は、テレビ放送の番組表の一例を示す図である。なお簡略化するため１日の放送時間は１８：００〜２４：００の６時間であるものとして説明をする。
図３において、第１放送局のチャンネルでは、終日、制約条件なしにコピー可（Copy Free）の番組が放送されている。
第４放送局および放送局Ｗのチャンネルでは、制約条件なしにコピー可（Copy Free）の番組と、「１世代のみコピー可」（Copy Once）の番組とが混成された番組表となっている。
【００５４】
第４放送局のチャンネルでは６時間中２時間（または５番組中１番組）の割合、即ち３３％（２０％）で Copy Once の番組が放送されている。
これに対し、放送局Ｗのチャンネルでは、６時間中約５時間２４分（または５番組中４番組）の割合、即ち９０％（８０％）で「１世代のみコピー可」（Copy Once）の番組が放送されている。
【００５５】
ここ以降の処理については複数の形態が考えられるため分けて説明する。
（第１の形態）
本発明の第１の形態としては、ＥＰＧ（Electric Program Guide）情報からコピー制御情報（制約条件なしにコピー可（Copy Free）、１世代のみコピー可（Copy Once）、コピー禁止（Copy Never））を取得し、「１世代のみコピー可」（Copy Once）の番組を全て自動録画するものである。
【００５６】
この動作について図４の自動録画動作を示すフローチャートを用いて説明する。
ステップＳ４０１：制御部２６１は、ＥＰＧ（Electric Program Guide）情報からコピー制御情報（制約条件なしにコピー可、１世代のみコピー可、コピー禁止）を取得する。
【００５７】
ステップＳ４０２：制御部２６１は、コピー制御情報が「１世代のみコピー可」である番組を全て自動録画する。
チューナ等を複数有しており、複数番組を可能な場合には、図３の放送局Ｗで放送される２１：００〜２２：２４についても同期記録するようにする。
また、上記例では受信可能な全チャンネルを対象にするのではなく、予めユーザが指定したチャンネルについてのみ、コピー制御情報が「１世代のみコピー可」（Copy Once）である番組を全て自動録画するようにしてもよい。例えば、ユーザが予め第４放送局のチャンネルを指定すると、この指定されたチャンネルは例えば不揮発性メモリに記憶され、この第４放送局のチャンネルでコピー制御情報が「１世代のみコピー可」（Copy Once）である番組を全て自動録画する。図３の例では、２１：００〜２３：００の「１世代のみコピー可」の番組が自動記録されることとなる。
【００５８】
このように予め、コピー制御情報が「１世代のみコピー可」（Copy Once）である番組を全て自動録画するチャンネルを指定しておくことにより、ユーザが希望するチャンネルでのコピー制御情報が「１世代のみコピー可」（Copy Once）である番組を全て自動録画することが可能となる。
【００５９】
（第１の形態の変形例）
上記第１の形態または第２の形態では、あるチャンネルにおいて「１世代のみコピー可」の番組の割合を考慮していなかったが、この割合を考慮してするように変形して自動録画するようにしてもよい。
【００６０】
第４放送局のチャンネルのように「１世代のみコピー可」の番組の割合が低い（例えば５０％よりも低い）場合には、そのチャンネルで放送する「１世代のみコピー可」の番組は、価値の高い番組であると考えることができる。本発明は、第４放送局のチャンネルのように「１世代のみコピー可」の番組の割合が低い（例えば５０％未満）場合に、「１世代のみコピー可」の番組は価値の高い番組であると見做して自動録画の優先度を上げる。
【００６１】
また、本発明は、放送局Ｗのチャンネルのように「１世代のみコピー可」の番組の割合が高い（例えば５０％以上）場合に、「１世代のみコピー可」の番組は価値の高い番組ではないと見做して自動録画の優先度は上げることはしない。
【００６２】
実際に第１の形態に適用した場合、ＥＰＧ（Electric Program Guide）情報からコピー制御情報（制約条件なしにコピー可（Copy Free）、１世代のみコピー可（Copy Once）、コピー禁止（Copy Never））を取得し、「１世代のみコピー可」（Copy Once）の番組が多く放送されているチャンネルにおける「１世代のみコピー可」（Copy Once）の番組は自動録画せず、「制約条件なしにコピー可」（Copy Free）の番組が多く放送されているチャンネルにおける「１世代のみコピー可」（Copy Once）の番組を自動録画するものである。
【００６３】
（第２の形態）
本発明の第２の形態は、ＥＰＧに含まれている番組タイトルやジャンルや出演者名等からユーザの嗜好に合わせて自動的に番組を録画する装置に適用した形態である。
【００６４】
ユーザの嗜好に合わせて自動的に番組を録画するための番組評価方法としては種々考えられる。例えば過去に視聴した番組の視聴履歴からキーワードを抽出したり予めユーザが登録していたキーワードから、多くのキーワードが合致する番組がより評価ポイントが高くなる演算を行い各番組を評価し、評価ポイントが高い番組を自動録画するようにする。
【００６５】
このような番組タイトルやジャンル、出演者名等からユーザの嗜好に合わせて自動的に番組を録画するものについては、例えば特開２００６−２５９８９７号公報、特開２００６−８６６３８号公報、特開２００６−００５５４１号公報等で知られているため詳細な説明は省略する。
【００６６】
この動作を図５のフローチャートを用いて説明する。
ステップＳ５０１：制御部２６１は、従来知られている方法により各番組の評価ポイントを算出する。
ステップＳ５０２：制御部２６１は、ＥＰＧ（Electric Program Guide）情報からコピー制御情報（制約条件なしにコピー可、１世代のみコピー可、コピー禁止）を取得する。
【００６７】
ステップＳ５０３：制御部２６１は、「１世代のみコピー可」の番組については、ステップ５０１で算出した評価ポイントを、例えば３．０倍することにより評価ポイントをアップする。
【００６８】
ステップＳ５０４：ステップＳ５０３で補正した評価ポイントに基づいて番組を自動録画する。
図６はこの番組評価の例を示す図であり、図６（ａ）はキーワードや番組のジャンルに応じて評価点を抽出する例であり、従来の技術に相当する。
本発明では更にコピー制御情報に基づき各番組の評価点を変更しており、この図６（ｂ）に示す例では、評価ポイントを３．０倍にする例である。
仮に自動録画装置が上位３番組のみ自動的に記録する装置であった場合、コピー制御情報を考慮しない図６（ａ）では第１放送局による動画Ｃは自動録画対象となっているが、コピー制御情報に基づき各番組の評価点を変更した図６（ｂ）では自動録画対象から外れ、代わりに第４放送局によるドラマＤが自動録画対象となっている。
【００６９】
なお、上記では番組タイトルや番組ジャンル、出演者名等の各番組に付与されているテキストデータ（番組関連情報）と、  予め取得済みのユーザの嗜好に合うキーワードや番組のジャンルに基づいて、ユーザの嗜好に合わせて自動的に番組を録画するものに適用したが、他に種々ある自動録画番組を決定する上での評価に、コピー制御情報の情報を用いて、「１世代のみコピー可」の番組は価値の高い番組であるとして評価（評価ポイント）をより高くし、自動録画する番組を決定するようにしてもよい。
【００７０】
例えば（１）〜（４）などの方法による自動録画装置に適用してもよい。
（１）予約録画で評価：全国の録画機器で録画予約されている番組のランキングで評価するもの。全国のＨＤＤレコーダ機器でユーザが予約している番組のランキングから、番組の客観的な価値を評価する。
【００７１】
（２）放送時間帯で評価：放送時間帯で評価する。例えば、ゴールデンタイム（19:00〜22:00）であれば各局の花形番組である可能性が高いため価値判定を高くし、午前やお昼の番組であれば価値判定を低くする。
【００７２】
（３）放送時間の尺で評価：放送時間の尺で評価する。２〜４時間の番組であればスペシャル番組の可能性が高いため価値判定を高くする。１５分以下の番組であれば天気予報等や番組宣伝の可能性が高いため価値判定を低くする。
【００７３】
（４）インターネットでキーワード検索：番組のタイトルをキーワードにしてインターネットの検索サイトで検索する。検索ヒット数が多いほど世間で話題になっていると判断できるため価値判定を高くする。
【００７４】
（第２の形態の変形例）
上記第１の形態または第２の形態では、あるチャンネルにおいて「１世代のみコピー可」の番組の割合を考慮していなかったが、この割合を考慮してするように変形して自動録画するようにしてもよい。
【００７５】
第４放送局のチャンネルのように「１世代のみコピー可」の番組の割合が低い（例えば５０％よりも低い）場合には、そのチャンネルで放送する「１世代のみコピー可」の番組は、価値の高い番組であると考えることができる。本発明は、第４放送局のチャンネルのように「１世代のみコピー可」の番組の割合が低い（例えば５０％未満）場合に、「１世代のみコピー可」の番組は価値の高い番組であると見做して自動録画の優先度を上げる。
【００７６】
また、本発明は、放送局Ｗのチャンネルのように「１世代のみコピー可」の番組の割合が高い（例えば５０％以上）場合に、「１世代のみコピー可」の番組は価値の高い番組ではないと見做して自動録画の優先度は上げることはしない。
【００７７】
実際に第２の形態に適用した場合、ＥＰＧ（Electric Program Guide）情報からコピー制御情報（制約条件なしにコピー可（Copy Free）、１世代のみコピー可（Copy Once）、コピー禁止（Copy Never））を取得し、「１世代のみコピー可」（Copy Once）の番組が多く放送されているチャンネルにおける「１世代のみコピー可」（Copy Once）の番組より、「制約条件なしにコピー可」（Copy Free）の番組が多く放送されているチャンネルにおける「１世代のみコピー可」（Copy Once）の番組の方の自動録画の優先順位を上げて番組を自動録画するものである。
【００７８】
以上説明した通りこの発明によれば、コピー制御情報（制約条件なしにコピー可、１世代のみコピー可、コピー禁止）を利用し、このコピー制御情報も考慮した番組自動録画装置を提供することができる。
【００７９】
コピー制御情報を利用することで、価値のある番組を簡易に選択して自動録画できる。
過去の視聴率や予約録画のランキングはＴＶ単体では取得することができないが、コピー制御情報はＴＶ単体で取得できる。
本発明では、１世代のみコピー可（Copy Once）の場合に自動録画するときの優先度を上げたが、この他、３回まではコピー可というコピー制御情報の場合に自動録画するときの優先度を上げるようにしてもよい。
【００８０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００８１】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】テレビ放送の番組表の一例を示す図。
【図４】自動録画動作を示すフローチャート。
【図５】自動録画動作を示すフローチャート。
【図６】番組評価の例を示す図。
【符号の説明】
【００８２】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008301242.tif 000003
【図２】
2008301242.tif 000004
【図３】
2008301242.tif 000005
【図４】
2008301242.tif 000006
【図５】
2008301242.tif 000007
【図６】
2008301242.tif 000008